(57)【要約】【課題】画像の表示配置に関する設定作業を容易にし、かつ観察者の好みを反映する。【解決手段】医用画像表示装置は、表示部で医用画像その他の医療データを表示する。表示部には、医用画像を格納するための画像記憶部および処理手段が接続されている。処理手段には頻度記憶部およびモード記憶部が接続され、頻度記憶部は医用画像が表示されたとき、その配置種別の頻度を記憶する。医用画像表示装置はその配置種別の頻度に基づき医用画像の表示配置を自動的に設定する。使用頻度が高い配置種別は読影者の好みを反映している可能性が高く、配置種別がそのまま、あるいは若干の修正のみで使用されれば、表示配置に関する設定作業は容易である。【選択図】        図３
2004171361.tif 000002
【特許請求の範囲】
【請求項１】
所定の組み合わせの画像を複数の画像配置で表示する画像表示方法であって、
観察者ごとに使用する画像配置の頻度を記憶する頻度記憶ステップと、
記憶された頻度に基づいて、観察者ごとに使用する画像配置を設定する設定ステップと、
前記所定の組み合わせの画像を前記設定した画像配置で表示する表示ステップとを有する画像表示方法。
【請求項２】
前記設定ステップは、観察者ごとに最も使用頻度が高い画像配置を設定することを特徴とする請求項１記載の画像表示方法。
【請求項３】
前記頻度記憶ステップは、前記所定の組み合わせの画像を表示するタイミングで画像配置の頻度をカウントすることを特徴とする請求項１または２記載の画像表示方法。
【請求項４】
前記頻度記憶ステップは、前記画像配置を変更するタイミングで、変更後の画像配置の頻度をカウントすることを特徴とする請求項１または２に記載の画像表示方法。
【請求項５】
前記頻度記憶ステップは、前記表示ステップが終了するタイミングで、表示されていた画像配置の頻度をカウントすることを特徴とする請求項１または２に記載の画像表示方法。
【請求項６】
前記頻度記憶ステップは、前記観察者が画像配置の頻度をカウントする操作を行ったタイミングで、そのとき表示されている画像配置の頻度をカウントすることを特徴とする請求項１または２に記載の画像表示方法。
【請求項７】
前記頻度記憶ステップは、複数の観察者を区別せず、これら観察者のために表示された前記画像配置の頻度を一括して記憶することを特徴とする請求項１乃至６のいずれかに記載の画像表示方法。
【請求項８】
前記設定ステップで、前記画像配置の頻度が２番目に高い画像配置を選択するように優先度を変更する、優先度変更ステップをさらに備えたことを特徴とする請求項１乃至７のいずれかに記載の画像表示方法。
【請求項９】
前記画像は医用画像であり、前記所定の組合せは、同一検査種別の画像であることを特徴とする請求項１乃至８のいずれかに記載の画像表示方法。
【請求項１０】
前記画像は医用画像であり、前記所定の組合せは、同一患者についての複数の異なる検査種別の画像であり、前記設定ステップは、各検査種別の画像の画像配置の頻度のうち、最も高い頻度に基づいて画像配置を設定することを特徴とする請求項１乃至８のいずれかに記載の画像表示方法。
【請求項１１】
前記頻度記憶ステップは、記憶し得る頻度の順位個数があらかじめ設定され、あらたな画像配置で画像が表示されたときには、最も低い頻度の画像配置を削除し、新たな画像配置の頻度を加えることを特徴とする請求項１乃至１１のいずれかに記載の画像表示方法。
【請求項１２】
前記頻度の順位個数は１個であることを特徴とする請求項１１記載の画像表示方法。
【請求項１３】
画像を表示する表示手段と、
前記表示手段における画像の配置を設定する処理手段と、
前記画像の配置の頻度を記憶する頻度記憶部と、
を有し、
前記処理手段は前記頻度に基づいて画像の配置を設定することを特徴とする画像表示装置。
【請求項１４】
請求項１乃至１２に記載の画像表示方法の各ステップをコンピュータに実行させるためのプログラムコードを有するコンピュータ実行可能なプログラム。
【請求項１５】
請求項１４記載のプログラムが格納された記憶媒体。
【発明の詳細な説明】
【０００１】
【発明の属する技術分野】
本発明は、画像表示方法、画像表示装置、プログラム、および記憶媒体に関する。
【０００２】
【従来の技術】
医用画像には医用Ｘ線画像、ＣＴスキャン画像、ＭＲＩ画像等があるが、従来の医用画像はフイルム・スクリーン系の撮影装置によって撮影された。
【０００３】
医用画像を読影する際には、医師は、シャーカステン（バックライト付きフイルム掛け）にフイルムを掛けて読影するが、画像を掛ける順序はハンギングフォーマットと呼ばれ、学会、検査内容、医師個人の好み等より異なっており、精度の高い診断を行う上で極めて重要である。アメリカの医療現場ではフイルムをかける選任の従業員を置いている等、その重要性は広く認識されている。
【０００４】
一方、医用画像のデジタル化に関する国際規格ＤＩＣＯＭ（ｄｉｇｉｔａｌ  ｉｎｆｏｒｍａｔｉｏｎ  ａｎｄ  ｃｏｍｍｕｎｉｃａｔｉｏｎ  ｉｎ  ｍｅｄｉｃｉｎｅ）に呼応して、我が国では日本放射線機器工業会（ＪＩＲＡ）によりＭＩＰＳ（ｍｅｄｉｃａｌ  ｉｍａｇｅ  ｐｒｏｃｅｓｓｉｎｇ  ｓｙｓｔｅｍ）規格が制定され、医用画像のデジタル化が進行している。
【０００５】
このような背景の下、医用Ｘ線画像をデジタルデータとして検出・生成するＸ線デジタル撮影装置が開発されている。例えば、Ｘ線に対して感度を持ち、検出したＸ線の強度に応じたアナログ信号を出力する固体撮像素子を用い、アナログ信号をＡ／Ｄ変換してデジタルデータを得る平面センサーパネルを用いたＸ線撮影装置がある。Ｘ線撮影装置は従来の撮影装置と比べはるかに小型であり、受診者の被爆線量を軽減できること等からあらゆる方面で積極的に使われ始めている。
【０００６】
Ｘ線デジタル撮影装置においては、医用画像はフイルムではなくデジタルデータとして記録され、記録されたデジタルデータはモニタ上に表示される。その表示配置は検査種別毎にあらかじめ設定することが多く、その設定作業が煩雑であるばかりでなく、医師の好みを反映する余地がなく、設定の変更も容易でなかった。
【０００７】
そこで特開平５−５６９５３号公報には、撮影方向、手技に基づいて、検査種別ごとに、医用画像を自動的に表示配置する表示システムが提案されている。
【０００８】
【発明が解決しようとする課題】
しかしながら、前記従来の表示システムでは、表示配置の事前設定が必要であり、設定作業が煩雑である。
【０００９】
本発明はこのような従来の問題点を解消すべく創案されたもので、医用画像、その他の画像の表示配置に関する設定作業を容易にし、かつ読影者等の観察者の好みを反映することを目的とする。
【００１０】
【課題を解決するための手段】
本発明は所定の組み合わせの画像を複数の画像配置で表示する画像表示方法であって、観察者ごとに使用する画像配置の頻度を記憶する頻度記憶ステップと、記憶された頻度に基づいて、観察者ごとに使用する画像配置を設定する設定ステップと、前記所定の組み合わせの画像を前記設定した画像配置で表示する表示ステップとを有する。これによって、医用画像、その他の画像の表示配置に関する設定作業を容易にし、かつ読影者等の観察者の好みを反映し得る。
【００１１】
本発明に係る画像処理方法において、前記設定ステップは、観察者ごとに最も使用頻度が高い画像配置を設定するものであってもよい。
【００１２】
本発明に係る画像処理方法において、前記頻度記憶ステップは、前記所定の組み合わせの画像を表示するタイミングで画像配置の頻度をカウントするものであってもよい。
【００１３】
本発明に係る画像処理方法において、前記頻度記憶ステップは、前記画像配置を変更するタイミングで、変更後の画像配置の頻度をカウントするものであってもよい。
【００１４】
本発明に係る画像処理方法において、前記頻度記憶ステップは、前記表示ステップが終了するタイミングで、表示されていた画像配置の頻度をカウントするものであってもよい。
【００１５】
本発明に係る画像処理方法において、前記頻度記憶ステップは、前記観察者が画像配置の頻度をカウントする操作を行ったタイミングで、そのとき表示されている画像配置の頻度をカウントするものであってもよい。
【００１６】
本発明に係る画像処理方法において、前記頻度記憶ステップは、複数の観察者を区別せず、これら観察者のために表示された前記画像配置の頻度を一括して記憶するものであってもよい。
【００１７】
本発明に係る画像処理方法は、前記設定ステップで、前記画像配置の頻度が２番目に高い画像配置を選択するように優先度を変更する、優先度変更ステップをさらに備えてもよい。
【００１８】
本発明に係る画像処理方法において、例えば、前記画像は医用画像であり、前記所定の組合せは、同一検査種別の画像である。
【００１９】
本発明に係る画像処理方法において、例えば、前記画像は医用画像であり、前記所定の組合せは、同一患者についての複数の異なる検査種別の画像であり、前記設定ステップは、各検査種別の画像の画像配置の頻度のうち、最も高い頻度に基づいて画像配置を設定する。
【００２０】
本発明に係る画像処理方法において、前記頻度記憶ステップは、記憶し得る頻度の順位個数があらかじめ設定され、あらたな画像配置で画像が表示されたときには、最も低い頻度の画像配置を削除し、新たな画像配置の頻度を加えるものであってもよい。
【００２１】
本発明に係る画像処理方法において、前記頻度の順位個数は例えば１個である。
【００２２】
本発明に係る画像処理装置は、画像を表示する表示手段と、前記表示手段における画像の配置を設定する処理手段と、前記画像の配置の頻度を記憶する頻度記憶部とを有し、前記処理手段は前記頻度に基づいて画像の配置を設定する。これによって、医用画像、その他の画像の表示配置に関する設定作業を容易にし、かつ読影者等の観察者の好みを反映し得る。
【００２３】
本発明に係るコンピュータ実行可能なプログラムは、前記画像表示方法の各ステップをコンピュータに実行させるためのプログラムコードを有する。
【００２４】
本発明に係る記憶媒体は、前記プログラムが格納されている。
【００２５】
【発明の実施の形態】
次に本発明に係る画像表示方法、画像表示装置、プログラム、記憶媒体を医用画像に適用した実施形態を図面に基づいて説明する。
【００２６】
［第１の実施形態］
図１は、本発明に係る医用画像表示装置の第１の実施形態を示すブロック図、図２は、図１の医用画像表示装置の内部構成を示すブロック図、図３は、図２の医用画像表示装置の機能を示す機能ブロック図、図４は、図２の医用画像表示装置における表示設定画面を示す正面図、図５は、図２の医用画像表示装置における検査種別表示画面を示す正面図、図６は、図２の医用画像表示装置における患者別表示画面を示す正面図、図７は、図２の医用画像表示装置におけるマニュアル配置画面を示す正面図、図８は、図５乃至図７の画面における１画像の配置種別を示す正面図、図９は、図５乃至図７の画面における水平な２画像の配置種別を示す正面図、図１０は、図５乃至図７の画面における垂直な２画像の配置種別を示す正面図、図１１は、図５乃至図７の画面における４画像の配置種別を示す正面図、図１７は、図２の医用画像表示装置における医療データのデータ構造を示す概念図である。
【００２７】
図１において、医用画像表示装置１１０はローカルエリアネットワーク（ＬＡＮ）１００を介して、医用画像生成装置１３０、１４０、１５０および医療データサーバ１６０に接続されている。医用画像生成装置１３０、１４０は例えばＣＴスキャン装置、ＭＲＩ装置であり、医用画像生成装置１５０は例えばＸ線撮影装置である。
【００２８】
医用画像生成装置１３０、１４０、１５０で生成された医用画像は直接医用画像表示装置１１０に伝送され、あるいは一旦医療データサーバ１６０に保存された後、医用画像表示装置１１０に伝送される。直接医用画像表示装置１１０に伝送された医用画像は医用画像表示装置１１０の記憶媒体に保存される。
【００２９】
医用画像表示装置１１０は高精細カラー液晶モニタ１２０を備え、医用画像を高精細で表示し得る。なお、モノクロモニタ１７０を備えた医用画像表示装置１８０も使用可能である。
【００３０】
医用画像表示装置１１０は読影者（図示せず。）の指示により受信した医用画像を表示し、読影者は医用画像を読影する。
【００３１】
図２において、医用画像表示装置１１０はバス２００にＣＰＵ２１０、ＲＡＭ２２０、ＲＯＭ２３０、通信インターフェース２４０、入力手段２６０を接続してなり、高精細カラー液晶モニタ１２０や、プリンタ２５０等の出力装置が適当なインターフェースを介してバス２００に接続されている。入力手段にはキーボード、ポインティングデバイス、マイクロフォン等が含まれる。
【００３２】
ＣＰＵ２１０は医用画像表示装置１１０全体、および出力装置の制御に使用され、その制御プログラムはＲＯＭ２３０に格納されている。通信インターフェース２４０はＬＡＮ１００による通信を制御し、適宜医用画像生成装置１３０、１４０、１５０や医療データサーバ１６０との間で医用画像その他のデータを送受信する。
【００３３】
図３において、医用画像表示装置１１０は、表示部３００（図１の高精細カラー液晶モニタ１２０に対応）で医用画像その他の医療データを表示する。表示部３００には、医用画像を格納するための画像記憶部３１０（図１のサーバ１６０に対応）、および処理手段３２０（図２のＣＰＵ２１０に対応）が接続されている。処理手段３２０にはユーザインターフェース３３０が接続され、読影者は、このユーザインターフェース３３０を用いて処理手段３２０を制御し、医用画像の表示指示や表示配置変更などの処理を実行する。さらに処理手段３２０には頻度記憶部３４０およびモード記憶部３５０（いずれも図１のサーバ１６０に対応）が接続されている。頻度記憶部３４０は医用画像が表示されたとき、その配置種別（画面に表示される１個または複数の画像の位置の組合せ。例えば水平２画像、垂直２画像、上下左右２画像ずつの４画像等である。）の頻度を記憶する。なお同一配置種別においても、各画像の位置は一定ではない。例えばある画像を水平２画像の左右いずれに配置するかは選択可能である。各画像の位置を特定した配置種別を「レコード」と呼ぶ。
【００３４】
頻度記憶部３４０における頻度更新のタイミングは、以下（１）〜（４）のように種々設定し得る。
（１）画像を表示するタイミング。（開始時モード）
（２）画像を表示するタイミング、および画像配置を変更するタイミング。画像配置を変更とは、表示されている画像配置を変更する操作を行った時点である。（開始・変更時モード）
（３）前記表示ステップが終了するタイミング。すなわち表示している画像の読影を終了した時点。（終了時モード）
（４）前記読影者が画像配置の頻度をカウントする操作を行ったタイミング。すなわち、画面上の配置種別記憶ボタン５０７（図５）を押すなど、読影者が所定の頻度カウント操作を行った時点。（指示モード）
これらの頻度更新タイミングを「記憶モード」と呼ぶ。
【００３５】
また、頻度記憶部３４０におけ頻度の管理を個々の読影者ごとに行えば各読影者の好みを反映し得る。しかし、複数の読影者、あるいは全読影者を区別せず、一括して頻度を記憶することも可能であり、この場合、頻度記憶部３４０の記憶容量を節減し得る。
【００３６】
モード記憶部３５０は記憶モードを記憶する。
【００３７】
医用画像表示装置１１０はその配置種別の頻度に基づき医用画像の表示配置を自動的に設定する。使用頻度が高い配置種別は読影者の好みを反映している可能性が高く、この配置種別がそのまま使用され、あるいは若干の修正のみで配置種別が決定されれば、表示配置に関する設定作業は容易である。
【００３８】
図４の表示設定画面では、医用画像表示装置１１０では医用画像表示に関して種々設定することが可能である。但し、表示設定画面にはあらかじめ初期値が設定されているので、何ら入力することなく、医用画像表示に移行し得る。
【００３９】
表示設定画面には、表示形式選択部４０１、患者指定部４０２、医師指定部４０３、検査種別指定部４０４、記憶モード指定部４０５、マニュアル配置ボタン４０６が設けられている。
【００４０】
表示形式選択部４０１では、医用画像を同一検査ごとに表示する（検査種別表示）か、あるいは患者ごとに表示する（患者別表示）かを選択する。患者別表示では、１人の患者についての複数の異なる検査の医用画像を表示し得る。初期値は検査種別表示である。
【００４１】
患者指定部４０２では、患者のＩＤ、氏名、性別を入力し得るボックスが設けられ、これらボックスへの入力によって患者を指定し得る。患者のＩＤ、氏名、性別のいずれかについて部分的な入力を行い、検索ボタン４０７を押せば、該当する患者が表示される。この検索結果から、患者を特定することも可能である。
【００４２】
医師指定部４０３では、医師のＩＤ、氏名を入力し得るボックスが設けられ、これらボックスへの入力によって医師を指定し得る。医師のＩＤ、氏名いずれかについて部分的な入力を行い、検索ボタン４０８を押せば、該当する医師が表示される。この検索結果から、医師を特定することも可能である。
【００４３】
検査種別指定部４０４では、検索種別を入力し得る複数のボックスが設けられ、これらボックスへの入力によって検査種別を指定し得る。各ボックスはプルダウンメニュー等によって検査種別一覧を表示でき、ここから検査種別を選択し得る。さらに全ての検査を指定する全種ボタン４０９が設けられている。
【００４４】
記憶モード指定部４０５ではラジオボタン等により、開始時モード、開始・変更時モード、終了時モード、指示モードのいずれかを選択し得る。
【００４５】
開始時モードでは、医用画像の表示を開始したタイミングでそのときの、画像配置のレコードの頻度をカウントする。
【００４６】
開始・変更時モードでは、前記画像を表示するタイミング、および表示されている画像配置を変更する操作を行ったタイミングで、画像配置のレコードの頻度をカウントする。
【００４７】
終了時モードでは、表示している画像の表示を終了したタイミングで、画像配置のレコードの頻度をカウントする。
【００４８】
指示モードでは、読影者が画像配置の頻度をカウントする操作、すなわち、画面上のボタンを押すなど、読影者が所定の頻度カウント操作を行ったタイミングで、画像配置のレコードの頻度をカウントする。
【００４９】
マニュアル配置ボタン４０６は、読影者が新たな配置種別の定義を可能にする。
【００５０】
図５において、検査種別表示では、画面上に医用画像５０１、検査日・検査種別表示５０２、患者表示５０３、配置種別変更ボタン５０４、優先度変更ボタン５０５、優先度確認部５０６、配置種別記憶ボタン５０７、記憶モード変更ボタン５０８が表示される。
【００５１】
医用画像５０１は、配置種別変更ボタン５０４によって設定された画像数、配置で表示され、図５では２画像が水平に配置されている。
【００５２】
検査日・検査種別表示５０２は医用画像５０１が生成された年月日および検査種別が表示される。図５の医用画像５０１の検査種別は胸部正面側面検査である。検査種別表示は同一検査ごとの医用画像の表示であるので、検査日・検査種別表示５０２は画面最上部に表示される。
【００５３】
患者表示５０３には、患者ＩＤ、患者氏名、性別、生年月日が表示される。これはＤＩＣＯＭ規格に基づくものである。
【００５４】
配置種別変更ボタン５０４には、正方形、水平２分割正方形、垂直２分割正方形、４分割正方形のボタンが表示され、１画像、水平２画像、垂直２画像、４画像の配置種別を選択し得る。図５では水平２分割正方形のボタンが反転し、水平２画像の配置種別が選択されていることを示す。
【００５５】
優先度変更ボタン５０５は記憶モードが指示モードであったときに、選択すべき配置種別の頻度を設定し得る。優先度確認部５０６は設定された頻度を確認的に表示し、図６では「２／４」の表示により、４段階の頻度に対して、２番目の頻度の配置種別を選択することを示す。
【００５６】
配置種別記憶ボタン５０７は、現在表示されている医用画像の配置種別を頻度に加算することを指示する。
【００５７】
記憶モード変更ボタン５０８は記憶モードを変更するためのボタンである。
【００５８】
図６において、患者別表示では、画面上に医用画像６０１、患者表示６０２、検査年月日・検査種別表示６０３、配置種別変更ボタン６０４、優先度変更ボタン６０５、優先度確認部６０６、配置種別記憶ボタン６０７、記憶モード変更ボタン６０８が表示される。
【００５９】
患者別表示では、１人の患者について複数の異なる医用画像が表示されるため、各医用画像に検査年月日・検査種別表示６０３が付される。また画面最上部に患者ＩＤ、患者氏名、性別、生年月日よりなる患者表示６０２が表示される。
【００６０】
配置種別変更ボタン６０４、優先度変更ボタン６０５、優先度確認部６０６、配置種別記憶ボタン６０７、記憶モード変更ボタン６０８は、図５の配置種別変更ボタン５０４、優先度変更ボタン５０５、優先度確認部５０６、配置種別記憶ボタン５０７、記憶モード変更ボタン５０８と同様であるので、説明を省略する。
【００６１】
図７のマニュアル配置画面は、図４でマニュアル配置ボタン４０６を押したときに表示される。
【００６２】
マニュアル配置画面には、画面最上部に「マニュアル配置」のタイトルが表示され、かつ医用画像７０１、検査年月日・検査種別表示・患者表示７０２、配置種別変更ボタン７０３、配置変更ボタン７０４が設けられる。
【００６３】
配置種別変更ボタン７０３としては、水平２画像、垂直２画像、４画像のボタンが表示され、各ボタンにおける画像位置にはその画像の番号が付されている。
【００６４】
医用画像７０１には、配置種別変更ボタン７０３の画像番号に対応した番号を表示する番号表示ボックス７０５と、画像名称７０６が添付され、読影者は番号表示ボックス７０５内の番号を修正することにより、その位置に表示する画像を変更し得る。番号の修正は、番号をピックして新たな値をキーボード入力する等の方法による。全ての画像を整合性をもった番号に修正し、配置変更ボタン７０４を押す等の確認操作を行うことにより、新たな配置種別が生成される。これによって同一配置種別における画像配置を自由に変更でき、読影者の好みを直接生成し得る。
【００６５】
図８において、１画像を表示する配置種別では、画面の略全体にわたって１個の医用画像８０１が表示され、画面上部にタイトルが表示される。
【００６６】
図９において、水平２画像を表示する配置種別では、前記のように水平に並列して２個の医用画像９０１、９０２が表示され、画面上部にタイトルが表示される。
【００６７】
図１０において、垂直２画像を表示する配置種別では、垂直に並列して２個の医用画像１００１、１００２が表示され、画面上部にタイトルが表示される。
【００６８】
図１１において、４画像を表示する配置種別では、４個の医用画像１１０１、１１０４が、縦横２個ずつ表示され、画面上部にタイトルが表示される。
【００６９】
図１７において、医用画像表示装置１１０はＤＩＣＯＭ規格に基づく医療データを管理する。医療データは、患者（受診者）データＤ１、検査データＤ２、シリーズデータＤ３、医用画像データＤ４の４階層よりなる。各患者データ（例えば患者Ｐｉ）に１個または複数の検査データ（Ｔｉ１〜Ｔｉｕ）が対応し、各検査データ（例えば検査Ｔｉｊ）に１個または複数のシリーズデータ（Ｓｉｊ１〜Ｓｉｊｖ）が対応し、各シリーズデータ（例えばＳｉｊｋ）に１個または複数の医用画像データ（ＩＭｉｊｋ１〜ＩＭｉｊｋｗ）が対応する。各検査データは定期健康診断ごとの診断結果等よりなり、読影結果は検査データ（Ｔｉ１〜Ｔｉｕ）に含まれる。シリーズデータは１回の検査における胸部、腹部等異なる検査の結果等が含まれる。各シリーズデータには１枚または複数の画像が対応する。
【００７０】
次に医用画像表示装置１１０において実行される医用画像表示方法の一実施形態を説明する。
【００７１】
図１２は、図２の医用画像表示装置で実行される医用画像表示方法を示すフローチャート、図１３は、図１２の表示・オプションの処理を示すフローチャート、図１４は、図１３の頻度記憶テーブル処理を示すフローチャート、図１５は頻度記憶テーブルを示す表、図１６は、図１３の記憶モード設定処理を示すフローチャートである。
【００７２】
図１２のフローチャートに示す医用画像表示方法は次のとおりである。
【００７３】
ステップＳ１２０１：図４の表示設定画面における「マニュアル配置」が選択されたか否か判断する。マニュアル配置が選択されたときは、ステップＳ１２０５のマニュアル配置の処理（図７のマニュアル配置画面）を実行し、マニュアル配置が選択されなかったときは、ステップＳ１２０２に移行する。
【００７４】
ステップＳ１２０２：図４の表示設定画面における表示形式選択（患者別表示への移行）が実行されたか否か判断し、患者別表示に移行したときは、ステップＳ１２０３に移行する。患者別表示に移行しなかったときは、ステップＳ１２０６に移行する。
【００７５】
ステップＳ１２０３：患者別表示への移行に対応して、患者、検査種別の選択がなされたか否か判断する。患者、検査種別の選択がなされたときはステップＳ１２０４に移行し、患者、検査種別の選択がなされなかったときはステップＳ１２０７に移行する。
【００７６】
ステップＳ１２０４：表示・オプションの処理を実行する。詳細は図１３に示す。
【００７７】
ステップＳ１２０５：マニュアル配置の処理を実行する。
【００７８】
ステップＳ１２０６：表示設定画面の入力待ち時間が満了したか否かを判断し、満了していなかったときはステップＳ１２０１に戻る。満了したときは、そのまま処理を終了する。
【００７９】
ステップＳ１２０７：表示設定画面の入力待ち時間が満了したか否かを判断し、満了していなかったときはステップＳ１２０１に戻る。満了したときは、そのまま処理を終了する。
【００８０】
図１３のフローチャートに示すマニュアル処理の内容は次のとおりである。
【００８１】
ステップＳ１３０１：マニュアル配置において表示すべき医用画像の画像群番号（「ｉ」とする。）を「１」に初期化し、ステップＳ１３０２に移行する。
【００８２】
ステップＳ１３０２：配置種別、優先度、記憶モードの初期値を設定する。
【００８３】
ステップＳ１３０３：「ｉ」番目の医用画像群を表示する。
【００８４】
ステップＳ１３０４：頻度記憶テーブルの処理を実行し、ステップＳ１３０５に移行する。頻度記憶テーブルの処理の詳細は図１４に示す。
【００８５】
ステップＳ１３０５：図５、図６の配置種別変更が有ったか否か判断する。配置種別変更が有ったときはステップＳ１３０６に移行し、配置種別変更がなかったときはステップＳ１３０７に移行する。
【００８６】
ステップＳ１３０６：配置種別変更の処理を実行し、ステップＳ１３０７に移行する。
【００８７】
ステップＳ１３０７：図５、図６の優先度変更が有ったか否か判断する。優先度変更が有ったときはステップＳ１３０８に移行し、優先度変更がなかったときはステップＳ１３０９に移行する。
【００８８】
ステップＳ１３０８：優先度変更の処理を実行し、ステップＳ１３０９に移行する。
【００８９】
ステップＳ１３０９：図５、図６の記憶モード変更が有ったか否か判断する。記憶モード変更が有ったときはステップＳ１３１０に移行し、記憶モード変更がなかったときはステップＳ１３１１に移行する。
【００９０】
ステップＳ１３１０：記憶モード変更の処理を実行し、ステップＳ１３１１に移行する。
【００９１】
ステップＳ１３１１：図５、図６の配置種別変更が有ったか否か判断する。配置種別変更が有ったときはステップＳ１３１２に移行し、配置種別変更がなかったときはステップＳ１３１３に移行する。
【００９２】
ステップＳ１３１２：配置種別変更の処理を実行し、ステップＳ１３１３に移行する。
【００９３】
ステップＳ１３１３：画像群番号の指定があったか否か判断する。画像群番号の指定があったときはステップＳ１３０３に戻り、画像群番号の指定がなかったときはステップＳ１３１４に移行する。
【００９４】
ステップＳ１３１４：処理終了が選択されたか否か判断する。処理終了が選択されたときはそのまま処理を終了し、処理終了が選択されなかったときはステップＳ１３１５に移行する。
【００９５】
ステップＳ１３１５：表示・オプション処理の待ち時間が満了したか否か判断する。待ち時間が満了したときはそのまま処理を終了し、待ち時間が満了していなかったときはステップＳ１３１６に移行する。
【００９６】
ステップＳ１３１６：表示する画像群の番号を「１」インクリメントし、ステップＳ１３１６に移行する。
【００９７】
ステップＳ１３１７：全画像群の表示が完了したときはそのまま処理を終了し、表示すべき画像群が残っていればステップＳ１３０３に戻る。
【００９８】
図１４のフローチャートに示す頻度記憶テーブルの処理の内容は次のとおりである。
【００９９】
ステップＳ１４０１：所定のタイミングにおいて、医用画像の検査種別、配置種別、画像種別を取得し、ステップＳ１４０２に移行する。本ステップが実行されたことによって、後述のステップＳ１４０８における、頻度記憶テーブルへのあらたなレコードの追加、あるいはＳ１４０９における、頻度記憶テーブルでの頻度加算が実行される。頻度更新のタイミングは、記憶モード指定部４０５に関して説明した、開始時モード、開始・変更時モード、終了時モード、指示モードの４種である。
【０１００】
ステップＳ１４０２：オプションがＯＮに設定されたか否か判断する。オプションＯＮのときはステップＳ１４０３に移行し、ＯＮでないとき（ＯＦＦのとき）はステップＳ１４０４に移行する。
【０１０１】
ステップＳ１４０３：読影者は頻度記憶テーブル（図１５）を評価する際の頻度順位個数の最大値Ｍ（図５、図６の優先度の分母）を設定し得る。Ｍ設定の処理（設定または設定せずに終了）を終了するとステップＳ１４０４に移行する。頻度順位の評価において、Ｍよりも大の順位のレコードは無視される。またＭ＝１と設定した場合、全ての配置種別の頻度順位が均等となり、最後に使用されたレコードの配置が採用される。
【０１０２】
ステップＳ１４０４：指示モードであるか否か判断する。指示モードのときはステップＳ１４０５に移行し、指示モードでないときはそのまま処理を終了する。
【０１０３】
ステップＳ１４０５：表示された医用画像の配置種別に関する頻度記憶テーブルが存在するか否か判断する。頻度記憶テーブルが存在するときはステップＳ１４０７に移行し、頻度記憶テーブルが存在しないときはステップＳ１４０６に移行する。
【０１０４】
ステップＳ１４０６：頻度記憶テーブルを新たに生成し、ステップＳ１４０７に移行する。
【０１０５】
ステップＳ１４０７：同一配置種別における同一組み合わせのレコードが存在するか否か判断する。同一組み合わせのレコードが存在するときには、ステップ１４０９に移行し、同一組み合わせのレコードが存在しないときにはステップＳ１４０８に移行する。
【０１０６】
ステップＳ１４０８：同一組み合わせのレコードが存在しないときは、最低頻度のレコードを抹消し、新たにレコード追加する。新たなレコードの頻度は「１」とされる。
【０１０７】
ステップＳ１４０９：頻度に「１」を加算し、優先度を高める。頻度は読影者検査種別
【０１０８】
図１５において、例えば検査種別「胸部正面側面検査」では水平２画像または垂直２画像の配置種別が使用され、各配置種別の画像ポジションは、胸部正面と胸部側面の配置は２種存在する。水平２画像では左の位置をポジション▲１▼、右の位置をポジション▲２▼、垂直２画像では上をポジション▲１▼、下をポジション▲２▼と呼び、これらポジションにいずれの画像を配置したかをレコードとしてカウントする。なお４画像では左上、右上、左下、右下の位置をポジション▲１▼、▲２▼、▲３▼、▲４▼と呼び、１画像はポジション▲１▼のみが存在する。各画像群は、初期状態では画像を生成した順にポジション▲１▼〜▲２▼またはポジション▲１▼〜▲４▼に配置される。
【０１０９】
図１５の頻度記憶テーブルでは、水平２画像でポジション▲１▼に胸部側面を配置したレコードが１０回、水平２画像でポジション▲１▼に胸部正面を配置したレコードが１２回、垂直２画像でポジション▲１▼に胸部正面を配置したレコードが２回、１画像のレコードが３回記録されている。これに基づいて、頻度順位は水平２画像でポジション▲１▼に胸部正面を配置したレコードが１位、水平２画像でポジション▲１▼に胸部側面を配置したレコードが２位、１画像のレコードが３位、垂直２画像でポジション▲１▼に胸部正面を配置したレコードが４位となる。
【０１１０】
頻度記憶テーブルには各読影者（Ａ、Ｂ、Ｃで示す）が選択した配置種別、レコードの頻度が記憶され、各読影者についての頻度順位を算出し得る。これによって、読影者を指定した場合に、その読影者の好みに沿った画像配置を直ちに選択し得る。
【０１１１】
さらに頻度記憶テーブルには各読影者が最後に使用した画像配置が、最終使用として読影者名で記録され、全読影者についての最後の画像配置が、符号（例えば○印）で記録され、記憶モードが終了時モードのとき、読影者を指定せずにＭ＝１としたとき、あるいは読影者を指定してＭ＝１としたときのレコードを選択し得る。
【０１１２】
図５の検査種別表示画面で優先度１／４を選択すれば、頻度順位１位のレコードの配置で画像が表示され、優先度２／４を選択すれば、頻度順位２位のレコードの配置で画像が表示される。なお分母「４」は優先度を評価すべき頻度順位の最大値Ｍである。
【０１１３】
図６の患者別表示画面では、複数の検査種別の医用画像が表示され、一方、医用画像は検査種別に頻度が記憶されているので、表示すべきすべて検査種の画像配置のうち、最も高い頻度の画像配置を選択する。
【０１１４】
図１６のフローチャートに示す記憶モード設定の処理の内容は次のとおりである。
【０１１５】
ステップＳ１６０１：開始時モードが選択されたか否か判断する。開始時モードが選択されたときはステップＳ１６０２に移行し、開始時モードが選択されなかったときはステップＳ１６０３に移行する。
【０１１６】
ステップＳ１６０２：開始時モードを開始し処理終了する。
【０１１７】
ステップＳ１６０３：開始・変更時モードが選択されたか否か判断する。開始・変更時モードが選択されたときはステップＳ１６０４に移行し、開始・変更時モードが選択されなかったときはステップＳ１６０５に移行する。
【０１１８】
ステップＳ１６０４：開始・変更時モードを開始し処理終了する。
【０１１９】
ステップＳ１６０５：終了時モードが選択されたか否か判断する。終了時モードが選択されたときはステップＳ１６０６に移行し、終了時モードが選択されなかったときはステップＳ１６０７に移行する。
【０１２０】
ステップＳ１６０６：終了時モードを開始し処理終了する。
【０１２１】
ステップＳ１６０７：指示モードが選択されたか否か判断する。指示モードが選択されたときはステップＳ１６０８に移行し、指示モードが選択されなかったときはステップＳ１６０９に移行する。
【０１２２】
ステップＳ１６０８：指示モードを開始し処理終了する。
【０１２３】
ステップＳ１６０９：記憶モード設定の待ち時間が満了したか否か判断する。記憶モード設定の待ち時間が満了したときはそのまま処理を終了する。記憶モード設定の待ち時間が満了していなかったときはステップＳ１５０１に戻る。
【０１２４】
［プログラム］
医用画像表示方法の第１の実施形態をコンピュータで実行するプログラムは、図１２のステップＳ１２０１〜Ｓ１２０７、図１３のステップＳ１３０１〜Ｓ１３１７、図１４のステップＳ１４０１〜Ｓ１４０７、図１６のステップＳ１６０１〜Ｓ１６０９を実行するプログラムコードを含む。
【０１２５】
［記憶媒体］
本発明にかかる医用画像表示方法は図２〜図３の医用画像表示装置以外の装置、例えば汎用的なコンピュータでも実施可能であり、その場合、記憶媒体等で提供される制御プログラムを汎用コンピュータの外部記憶装置にセットし、オペレータ等の指示によりＣＰＵ等で実行してもよい。
【０１２６】
［第２の実施形態］
図１８は本発明に係る医用画像読影装置の第２の実施形態を示すブロック図である。なお第１の実施形態（図１）と同一若しくは相当部分には同一符号を付し、説明を省略する。
【０１２７】
図１８において、医用画像表示装置１１１０、１１２０はインターネットＩＮ等の通信手段を介して、医用画像生成装置１１３０、１１４０、医療データサーバ１１５０、１１６０に接続されている。
【０１２８】
こように通信手段を介してこれらの機器を接続すれば、遠隔地で生成された医用画像を表示することが可能であり、また医療データをさらに他の施設で保存、管理し得る。
【０１２９】
医療データサーバ１１５０、１１６０の用途は多様であり、別個の患者の医療データを個々に保存し、あるいは同一患者についての医療データを分割保存することも可能である。医療データの分散保持、管理にはリレーショナルデータベースが有効である。
【０１３０】
なお本発明は医用画像の表示に限定されるものではなく、観察者の好む表示配置を設定するために任意の表示装置、表示方法、プログラム、記憶媒体に適用し得ることはいうまでもない。
【０１３１】
【発明の効果】
本発明によれば、画像の表示配置に関する設定作業を容易にし、かつ観察者の好みを反映し得る。
【図面の簡単な説明】
【図１】本発明に係る医用画像表示装置の第１の実施形態を示すブロック図である。
【図２】図１の医用画像表示装置の内部構成を示すブロック図である。
【図３】図２の医用画像表示装置の機能を示す機能ブロック図である。
【図４】図２の医用画像表示装置における表示設定画面を示す正面図である。
【図５】図２の医用画像表示装置における検査種別表示画面を示す正面図である。
【図６】図２の医用画像表示装置における患者別表示画面を示す正面図である。
【図７】図２の医用画像表示装置におけるマニュアル配置画面を示す正面図である。
【図８】図５乃至図７の画面における１画像の配置種別を示す正面図である。
【図９】図５乃至図７の画面における水平な２画像の配置種別を示す正面図である。
【図１０】図５乃至図７の画面における垂直な２画像の配置種別を示す正面図である。
【図１１】図５乃至図７の画面における４画像の配置種別を示す正面図である。
【図１２】図２の医用画像表示装置で実行される医用画像表示方法を示すフローチャートである。
【図１３】図１２の表示・オプションの処理を示すフローチャートである。
【図１４】図１３の頻度記憶テーブル処理を示すフローチャートである。
【図１５】頻度記憶テーブルを示す表である。
【図１６】図１３の記憶モード設定処理を示すフローチャートである。
【図１７】図２の医用画像表示装置における医療データのデータ構造を示す概念図である。
【図１８】医用画像表示装置の第２の実施形態を示すブロック図である。
【符号の説明】
１２０、１８０、１１１０、１１２０  医用画像表示装置
１２０、１７０、３００、３５０  モニター
【図１】
2004171361.tif 000003
【図２】
2004171361.tif 000004
【図３】
2004171361.tif 000005
【図４】
2004171361.tif 000006
【図５】
2004171361.tif 000007
【図６】
2004171361.tif 000008
【図７】
2004171361.tif 000009
【図８】
2004171361.tif 000010
【図９】
2004171361.tif 000011
【図１０】
2004171361.tif 000012
【図１１】
2004171361.tif 000013
【図１２】
2004171361.tif 000014
【図１３】
2004171361.tif 000015
【図１４】
2004171361.tif 000016
【図１５】
2004171361.tif 000017
【図１６】
2004171361.tif 000018
【図１７】
2004171361.tif 000019
【図１８】
2004171361.tif 000020